(57)【要約】      （修正有）【課題】重厚感と安定感のある陶磁石器製基台の上部にガラス製カバーをかぶせ、このガラス製カバー内に天然花を設置し、そのガラス製カバー内を真空領域に保持した長期保存が可能な供養花容器を提供する。【解決手段】自立可能で安定姿勢を保持することができる陶磁石器製基台２の上部に天然花をドライフラワーにした供養花４を設置し、この供養花４を内部に収めることができるコップ状の透明ガラス製カバー３を陶磁石器製基台２の上面に冠設し、この透明ガラス製カバー３の開口縁と陶磁石器製基台２との接合部を気密状に密着させ、透明ガラス製カバー３の内部を真空空間に保持するようにした。【選択図】図１
0003213484.tif 000002
【実用新案登録請求の範囲】
【請求項１】
自立可能で安定姿勢を保持することができる陶磁石器製基台の上部に天然花をドライフラワーにしたものを設置し、このドライフラワーにした天然花を内部に収めることができるコップ状の透明ガラス製カバーを前記陶磁石器製基台の上面に冠設し、この透明ガラス製カバーの開口縁と陶磁石器製基台との接合部を気密状に密着させ、透明ガラス製カバーの内部を真空空間に保持するようにしたことを特徴とする長期使用が可能な供養花容器。
【請求項２】
透明ガラス製カバーが底付き円筒状を呈することを特徴とする請求項１記載の長期使用が可能な供養花容器。
【請求項３】
天然花が蘭であることを特徴とする請求項１又は２記載の長期使用が可能な供養花容器。
【考案の詳細な説明】
【技術分野】
【０００１】
本考案は供養の目的で祭壇や墓前に供える供養花容器に関し、さらに詳しくは生花を一旦ドライフラワーに仕立て、その生花を真空状態の花収納筒に収めてなる供養花容器に関する。
【背景技術】
【０００２】
従来から、供養花容器は自然の状態で花立てに活けて構成されることが多かったが、そこで使用される供養花は生花であったために、日持ちが悪い等種々の改善が求められてきた。
【先行技術文献】
【特許文献】
【０００３】
【特許文献１】特開２００７−２４６４７２号公報
【特許文献２】特開２０１２−４６９００号公報
【考案の概要】
【考案が解決しようとする課題】
【０００４】
供養花を自然の状態(生花)で活けて利用することは、自然の状態での花の寿命しか持たせることができないため、きわめて短い時間しか利用できない結果となっていた。
これに対し、特許文献１のものは、袋体の中に立体乾燥花を収納し、その袋体の中に不活性ガスを充填してなるものであった。
このように、不活性ガスを充てんするため、袋体のほか、その袋体を保持する箱体が必要となり、構造が複雑となり、さらには全体が供養花として使用するには貧弱な容器となる等の問題点があった。
【０００５】
また上記特許文献２に示したように、供養花として造花、又は植物を模した水中花、又は薬品等により長期保存可能とした切り花を使用した水中花を容器に収納したものも提案されている。
この特許文献２に示されるものは、造花にするとか、水中花にするとか、薬品等を使用するとかの手数をかける必要があったため、製造の手間がかかり、さらには全体が供養花として使用するには貧弱な容器となる等の問題点があった。
【０００６】
本考案は、重厚感と安定感のある陶器、磁器、大理石などの石からなる陶磁石器製基台の上部にガラス製カバーをかぶせ、このガラス製カバー内に天然花をドライフラワーにしたものを設置し、そのガラス製カバー内を真空領域に保持した長期保存が可能な供養花容器を提案することで、上記の全ての問題点を解決しようとするものである。
【課題を解決するための手段】
【０００７】
前記課題を解決するために、請求項１に記載の考案は、自立可能で安定姿勢を保持することができる陶磁石器製基台の上部に天然花をドライフラワーにしたものを設置し、このドライフラワーにした天然花を内部に収めることができるコップ状の透明ガラス製カバーを前記陶磁石器製基台の上面に冠設し、この透明ガラス製カバーの開口縁と陶磁石器製基台との接合部を気密状に密着させ、透明ガラス製カバーの内部を真空空間に保持するようにしたことを特徴とする長期使用が可能な供養花容器である。
【０００８】
請求項２に記載の考案は、透明ガラス製カバーが底付き円筒状を呈することを特徴とする請求項１記載の長期使用が可能な供養花容器である。
【０００９】
請求項３に記載の考案は、天然花が蘭であることを特徴とする請求項１又は２記載の長期使用が可能な供養花容器である。
【考案の効果】
【００１０】
上記した請求項１に係る長期使用が可能な供養花容器は、重厚感のある陶磁石器製基台の上に透明ガラス製カバーが設置されているため、見栄えが良く安定感が高い容器となる効果があり、透明ガラス製カバーの内部に天然花が設置されるので、造花ではない天然花の特徴を醸し出し、透明ガラス製カバーの内部は真空空間に保持されているため、天然花をドライフラワーにしたものが４〜８年間程度の極めて長い期間、枯れるなどの変化をすることなく鮮度を保持できる効果があり、供養花にふさわしい雰囲気を醸し出す効果が達成できるという優れた効果がある。
【００１１】
また請求項２は、透明ガラス製カバーが底付き円筒状を呈するため、陶磁石器製基台との組立が簡単に行え、製品製作上の作業効率が向上するという効果を発揮する。
【００１２】
さらに請求項３は、天然花が蘭であるため、供養花としての高級感が確保され、商品価値が向上するという効果を発揮する。
【図面の簡単な説明】
【００１３】
【図１】本考案に係る長期使用が可能な供養花容器の正面斜視図である。
【図２】本考案に係る長期使用が可能な供養花容器の縦断正面図である。
【考案を実施するための形態】
【００１４】
以下添付図面に基づいて、本考案に係る長期使用が可能な供養花容器の一実施の形態を詳説するが、本考案はこれらの実施の形態に制限されるものではない。
【００１５】
図１に示す供養花容器１は、重厚感のある陶磁石器製基台２と、この基台の上面に設置される透明ガラス製カバー３と、この透明ガラス製カバー３の内部に収納される供養花４とで構成されている。通常は、この供養花容器１は、一対を並べて使用することが多いが、一対ではなく１個単位で使用することももちろん可能である。
【００１６】
供養花容器１は、墓前あるいは仏壇の前などに置かれるもので、適度の重量感があるため、少々の風などが吹いても転倒したり、盲動してしまう等の惧れはない。供養花容器１の大きさは、高さ寸法が１５〜２５ｃｍ程度であり、陶磁石器製基台２の直径は７〜１０ｃｍ程度であり、透明ガラス製カバー３の直径は５〜８センチ程度であるため、大人が片手で握ったりすることは簡単であり、好みの設置場所に簡単に設置することができる。
【００１７】
ここで陶磁石器製基台２は供養花容器１の設置時にその錘の役目を果たすものであるため、上記した転倒防止や、盲動防止の目的を果たせるようなものであれば、その大きさや重量は自由に設計変更することができる。
外観は、素材としての高級感を醸し出す陶器製、磁器製、大理石などを代表とする石製であるため、墓石の前に設置した場合であっても、素材としての違和感がなく、見た目の雰囲気は良くなり、手触りも製品の仕上げ具合によるが、滑々して触り心地の良いものとなる。
【００１８】
また透明ガラス製カバー３は、好みの大きさ、形状で形成されるものであり、図面の実施例では円筒形状で、底付きのものを採用している。底の部分は、図１においては、透明ガラス製カバー３を逆さまにして被せるように設置した関係で、天頂部に位置している。
【００１９】
透明ガラス製カバー３の開口部は、陶磁石器製基台２の上面に接するように組み立てられるため、開口部縁と陶磁石器製基台２の上面とは気密状態を確保された状態に密着されるように構成される。このようにして、透明ガラス製カバー３の内部は真空領域に保持されることとなる。
この真空領域の作成方法は、従来から採用されている周知の真空引きの方法によればよい。
【００２０】
上記の通り、透明ガラス製カバー３の内部は真空領域に保持した状態で全体が完成するので、透明ガラス製カバー３の内部の内部に設置される供養花４は、天然花をドライフラワーにしたものとすることが可能となり、その天然花をドライフラワーにしたものの日持ちは極めて長期の期間となる特徴がある。
【００２１】
この供養花４を透明ガラス製カバー３の内部に設置するに際しては、見栄えのする装飾５を添えるようにすることも可能で、この装飾５をリボン付き鉢などの形態で形成すると花束のような外観を呈し、さらに高級感が向上することとなる。
【００２２】
本考案は、このような構成でなるため、先祖を敬い、安寧を求める心を保ち、静かで落ち着いた気持ちで先祖の霊を敬う雰囲気が醸し出されることとなる。
【００２３】
本考案の長期使用が可能な供養花容器１は、必要に応じて、好みの彩色、デザインに形成して、その使用性を向上させることも可能である。
【産業上の利用可能性】
【００２４】
本考案の長期使用が可能な供養花容器は、特に先祖の霊を敬う雰囲気づくりに貢献できるため、仏具としての商品を製造し、販売する業界において、その利用範囲は大変広いものとなる。
【符号の説明】
【００２５】
１ …供養花容器
２ …陶磁石器製基台
３ …透明ガラス製カバー
４ …供養花
５ …装飾
【図１】
0003213484.tif 000003
【図２】
0003213484.tif 000004